(57)【要約】【課題】簡単な構成で、２部屋の空調を連動させることができるようにした空調装置を提供する。【解決手段】ファン４ａと、風路を形成するファンケース６ａと、風路を切り替えるダンパ７ａと、空気を加熱するヒータ１５ａを備えた洗面所空調機２Ａと、同様の構成で、ファン４ｂと、風路を形成するファンケース６ｂと、風路を切り替えるダンパ７ｂと、空気を加熱するヒータ１５ｂを備えた浴室空調機３Ａを、並列して単一の本体ケース１６に収容し、各空調機を連動させて制御を行う。【選択図】        図１
2007032874.tif 000002
【特許請求の範囲】
【請求項１】
第１の部屋の空気を吸い込んで、温風または送風を前記第１の部屋に吹き出す運転と、前記第１の部屋の空気を吸い込んで、屋外へ排出する運転が切り替えて実行される第１の空調機と、
前記第１の部屋と隣接した第２の部屋の空気を吸い込んで、温風または送風を前記第２の部屋に吹き出す運転と、前記第２の部屋の空気を吸い込んで、屋外へ排出する運転が切り替えて実行される第２の空調機と、
前記第１の空調機と前記第２の空調機を連動させて運転する制御手段と
を備えたことを特徴とする空調装置。
【請求項２】
前記第１の空調機と前記第２の空調機は並列して構成され、前記第１の部屋と前記第２の部屋との間仕切り上の天井面または壁面に、前記第１の部屋に対応して前記第１の空調機が設置されると共に、前記第２の部屋に対応して前記第２の空調機が設置される
ことを特徴とする請求項１記載の空調装置。
【請求項３】
前記第１の空調機と前記第２の空調機は、自機が設置される部屋からの空気の吸込口と同部屋への空気の吹出口を有するフロントパネルを独立して備えた
ことを特徴とする請求項２記載の空調装置。
【請求項４】
前記第１の空調機と前記第２の空調機のそれぞれに設けた屋外への空気の排出口を１本に繋げる連結配管と、
前記連結配管と屋外を繋ぐ１本の排気配管とを備えた
ことを特徴とする請求項１，２または３記載の空調装置。
【請求項５】
前記第１の空調機と前記第２の空調機は、自機が設置される部屋から吸い込んで、同部屋に吹き出す空気を加熱する加熱手段をそれぞれ備えた
ことを特徴とする請求項１，２，３または４記載の空調装置。
【請求項６】
前記第１の空調機と前記第２の空調機は、自機が設置される部屋の空気を吸い込んで同部屋に吹き出すと共に、前記部屋の空気を吸い込んで屋外へ排出するファンをそれぞれ備え、
前記第１の空調機の前記ファンと前記第２の空調機の前記ファンは、独立したファン駆動手段で個別に駆動される
ことを特徴とする請求項１，２，３，４または５記載の空調装置。
【請求項７】
前記第１の空調機と前記第２の空調機は、自機が設置される部屋の空気を吸い込んで同部屋に吹き出すと共に、前記部屋の空気を吸い込んで屋外へ排出するファンをそれぞれ備え、
前記第１の空調機の前記ファンと前記第２の空調機の前記ファンは、同軸上に配置されて、双方のファンが単一のファン駆動手段で連動して駆動される
ことを特徴とする請求項１，２，３，４または５記載の空調装置。
【請求項８】
前記第１の空調機と前記第２の空調機は、自機が設置される部屋から吸い込んだ空気を同部屋に吹き出すか、屋外へ排出するかを切り替える風路切替部材をそれぞれ備え、
前記第１の空調機の前記風路切替部材と、前記第２の空調機の前記風路切替部材は、独立した風路切替駆動手段で個別に駆動される
ことを特徴とする請求項１，２，３，４，５，６または７記載の空調装置。
【請求項９】
前記第１の空調機と前記第２の空調機は、自機が設置される部屋から吸い込んだ空気を同部屋に吹き出すか、屋外へ排出するかを切り替える風路切替部材をそれぞれ備え、
前記第１の空調機の前記風路切替部材と、前記第２の空調機の前記風路切替部材は、単一の風路切替駆動手段で連動して駆動される
ことを特徴とする請求項１，２，３，４，５，６または７記載の空調装置。
【請求項１０】
前記第１の部屋は洗面脱衣所で、前記第２の部屋は浴室であり、
前記制御手段は、前記第１の空調機で前記洗面脱衣所の空気を吸い込んで温風を前記洗面脱衣所に吹き出すと共に、前記第２の空調機で前記浴室の空気を吸い込んで温風を前記浴室に吹き出す暖房運転の停止時に、前記第１の空調機の暖房運転の停止を遅延させる
ことを特徴とする請求項１，２，３，４，５，６，８または９記載の空調装置。
【請求項１１】
前記第１の空調機と前記第２の空調機を連動させて運転する操作を受ける単一の操作手段を備えた
ことを特徴とする請求項１〜１０に何れか記載の空調装置。
【発明の詳細な説明】
【技術分野】
【０００１】
本発明は、間仕切りされた２部屋で暖房や換気等の空調を連動させて行う空調装置に関する。詳しくは、２部屋のそれぞれに空調機を備えることで、簡単な構成で、２部屋で連動または単独で空調を行えるようにしたものである。
【背景技術】
【０００２】
従来より、浴室内の暖房等を行う浴室暖房機が提案されている。一般的に、冬季においては住宅の居室は暖房されており、寒さを感じない温度となっているが、暖房されていない浴室は入浴前の温度が低く、入浴者は浴室への入室直後は寒さを感じる。
【０００３】
そこで、浴室暖房機を使用して浴室内を予め暖房しておき、冬季の入浴時における居室と浴室の温度差を解消することで、浴室への入室直後に寒さを感じないようにして、入浴者の負担の軽減を図っている。
【０００４】
また、浴室暖房機は換気機能を備えており、浴室内の湿気等を排出できるようになっている。
【０００５】
さて、浴室に隣接する洗面脱衣所も、従来は暖房機が設置されておらず、冬季は暖房されている居室との温度差があるので、脱衣中等には寒さを感じる。そこで、洗面脱衣所内の暖房等を行う洗面所暖房機が提案されている。
【０００６】
従来は、浴室と洗面脱衣所のように隣接する２部屋の空調を行えるようにするためには、上述したようにそれぞれの部屋に暖房機等を設置して、ユーザはそれぞれの暖房機を操作して暖房運転等を行っていた。
【０００７】
これに対して、浴室暖房機に、別室の空調を行える機能を搭載した装置も提案されている（例えば、特許文献１参照）。
【０００８】
【特許文献１】特開平９−２６４５５０号公報
【発明の開示】
【発明が解決しようとする課題】
【０００９】
しかし、２部屋のそれぞれに暖房機等を設置する構成では、連動して運転が行えないので、操作に手間がかかるという問題があった。
【００１０】
本発明は、このような課題を解決するためになされたもので、簡単な構成で、２部屋の空調を連動させることができる空調装置を提供することを目的とする。
【課題を解決するための手段】
【００１１】
上述した課題を解決するため、本発明に係る空調装置は、第１の部屋の空気を吸い込んで、温風または送風を第１の部屋に吹き出す運転と、第１の部屋の空気を吸い込んで、屋外へ排出する運転が切り替えて実行される第１の空調機と、第１の部屋と隣接した第２の部屋の空気を吸い込んで、温風または送風を第２の部屋に吹き出す運転と、第２の部屋の空気を吸い込んで、屋外へ排出する運転が切り替えて実行される第２の空調機と、第１の空調機と第２の空調機を連動させて運転する制御手段とを備えたことを特徴とする。
【００１２】
本発明の空調装置では、第１の空調機は、第１の部屋の空気を吸い込み、温風または送風を第１の部屋に吹き出すことで、第１の部屋に対する暖房運転を行う。また、第１の部屋の空気を吸い込み、屋外へ排出することで、第１の部屋に対する換気運転を行う。
【００１３】
第２の空調機は、第２の部屋の空気を吸い込み、温風または送風を第２の部屋に吹き出すことで、第２の部屋に対する暖房運転を行う。また、第２の部屋の空気を吸い込み、屋外へ排出することで、第２の部屋に対する換気運転を行う。
【００１４】
制御手段は、第１の空調機と第２の空調機の運転を連動させることで、第１の部屋と第２の部屋で同時もしくは選択的に暖房または換気を行う。
【発明の効果】
【００１５】
本発明の空調装置によれば、２部屋にそれぞれ空調機を設置して、各空調機を連動させて運転を行えるので、部屋毎の暖房や換気等を選択的に行うことができる。
【００１６】
また、各空調機を連動させて運転が行えることで、複数の空調機の操作を簡単なものとすることができる。
【発明を実施するための最良の形態】
【００１７】
以下、図面を参照して本発明の空調装置の実施の形態について説明する。
【００１８】
＜第１の実施の形態の空調装置の構成例＞
図１〜図３は第１の実施の形態の空調装置の一例を示す構成図で、図１（ａ）は空調装置１Ａを一方の側面から見た側断面図、図１（ｂ）は空調装置１Ａを他方の側面から見た側断面図である。また、図２は空調装置１Ａの平面断面図、図３は空調装置１Ａの正面断面図である。
【００１９】
第１の実施の形態の空調装置１Ａは、洗面所空調機２Ａと浴室空調機３Ａを一体に構成し、洗面所空調機２Ａと浴室空調機３Ａで各部の駆動手段を独立して備えたものである。
【００２０】
洗面所空調機２Ａは第１の空調機の一例で、ファン４ａと、ファン４ａを駆動するファンモータ５ａと、風路を形成するファンケース６ａと、風路を切り替えるダンパ７ａと、ダンパ７ａを駆動するダンパモータ８ａを備える。
【００２１】
ファン４ａは多翼の羽根車で、ファンモータ５ａの軸に取り付けられる。ファンモータ５ａはファン駆動手段の一例で、ファン４ａの回転軸を水平方向としてファンケース６ａに取り付けられる。
【００２２】
ファンケース６ａは、ファン４ａの軸方向に沿った面を開口して形成されるファン吸込口９ａを備える。また、ファンケース６ａは、ファン４ａの接線方向に沿った下面を開口して形成されるファン吹出口１０ａと、ファン４ａの接線方向に沿った側面を開口して形成されるファン排気口１１ａとを備える。
【００２３】
ダンパ７ａは風路切替部材の一例で、ダンパモータ８ａにより軸１２ａを支点に回転して風路の切り替え動作を行う。ダンパモータ８ａは風路切替駆動手段の一例で、例えば、ギアＧ等を介してダンパ７ａに駆動力を伝達する。
【００２４】
ファンケース６ａ内には、ダンパ７ａの位置によって、ファン吸込口９ａからファン吹出口１０ａへ連通した循環風路１３ａか、ファン排気口１１ａへ連通した排気風路１４ａが形成される。
【００２５】
すなわち、ダンパ７ａが図１（ａ）に実線で示す全閉位置にあると、ファン排気口１１ａへの風路が遮蔽され、ファン吸込口９ａからファン吹出口１０ａへ連通した循環風路１３ａが形成される。なお、ダンパ７ａが全閉となる位置をダンパ７ａの循環位置と称す。
【００２６】
これに対して、ダンパ７ａが図１（ａ）に一点鎖線で示す全開位置にあると、ファン吹出口１０ａへの風路が遮蔽され、ファン吸込口９ａからファン排気口１１ａへ連通した排気風路１４ａが形成される。なお、ダンパ７ａが全開となる位置をダンパ７ａの換気位置と称す。
【００２７】
洗面所空調機２Ａは、ファンケース６ａにヒータ１５ａを備える。ヒータ１５ａは加熱手段の一例で、ファンケース６ａのファン吹出口１０ａに備えられる。図１（ａ）に実線で示すように、ダンパ７ａを循環位置とし、ファンモータ５ａによりファン４ａを回転駆動すると、空気がファン吸込口９ａから吸い込まれ、循環風路１３ａを通りファン吹出口１０ａから吹き出す。ヒータ１５ａに通電すると、ヒータ１５ａが加熱することでファン吹出口１０ａを通る空気が温められ、温風がファン吹出口１０ａから吹き出す。
【００２８】
ここで、ヒータ１５ａとしては例えばＰＴＣヒータを備える。ＰＴＣヒータは、正極性のサーミスタ特性を有するヒータで、温度が上昇すると抵抗値が上昇し、これにより消費する電流が制御されると共に温度上昇が緩やかになり、その後、消費電流及び発熱部の温度が、飽和領域に達して安定していくものであり、自己温度制御を行う。
【００２９】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができると共に、発熱体の温度の異常上昇を防止可能であるという利点がある。
【００３０】
浴室空調機３Ａは第２の空調機の一例で、洗面所空調機２Ａと同等の構成を有し、ファン４ｂと、ファン４ｂを駆動するファンモータ５ｂと、風路を形成するファンケース６ｂと、風路を切り替えるダンパ７ｂと、ダンパ７ｂを駆動するダンパモータ８ｂを備える。
【００３１】
ファン４ｂは多翼の羽根車で、ファンモータ５ｂの軸に取り付けられる。ファンモータ５ｂはファン駆動手段の一例で、ファン４ｂの回転軸を水平方向としてファンケース６ｂに取り付けられる。
【００３２】
ファンケース６ｂは、ファン４ｂの軸方向に沿った面を開口して形成されるファン吸込口９ｂを備える。また、ファンケース６ｂは、ファン４ｂの接線方向に沿った下面を開口して形成されるファン吹出口１０ｂと、ファン４ｂの接線方向に沿った側面を開口して形成されるファン排気口１１ｂとを備える。
【００３３】
ダンパ７ｂは風路切替部材の一例で、ダンパモータ８ｂにより軸１２ｂを支点に回転して風路の切り替え動作を行う。ダンパモータ８ｂは風路切替駆動手段の一例で、例えば、ギアＧ等を介してダンパ７ｂに駆動力を伝達する。
【００３４】
ファンケース６ｂ内には、ダンパ７ｂの位置によって、ファン吸込口９ｂからファン吹出口１０ｂへ連通した循環風路１３ｂか、ファン排気口１１ｂへ連通した排気風路１４ｂが形成される。
【００３５】
すなわち、ダンパ７ｂが図１（ｂ）に実線で示す全閉位置にあると、ファン排気口１１ｂへの風路が遮蔽され、ファン吸込口９ｂからファン吹出口１０ｂへ連通した循環風路１３ｂが形成される。なお、ダンパ７ｂが全閉となる位置をダンパ７ｂの循環位置と称す。
【００３６】
これに対して、ダンパ７ｂが図１（ｂ）に一点鎖線で示す全開位置にあると、ファン吹出口１０ｂへの風路が遮蔽され、ファン吸込口９ｂからファン排気口１１ｂへ連通した排気風路１４ｂが形成される。なお、ダンパ７ｂが全開となる位置をダンパ７ｂの換気位置と称す。
【００３７】
浴室空調機３Ａは、ファンケース６ｂにヒータ１５ｂを備える。ヒータ１５ｂは加熱手段の一例で、ファンケース６ｂのファン吹出口１０ｂに備えられる。ここで、ヒータ１５ｂとしては例えばＰＴＣヒータを備える。
【００３８】
図１（ｂ）に実線で示すように、ダンパ７ｂを循環位置とし、ファンモータ５ｂによりファン４ｂを回転駆動すると、空気がファン吸込口９ｂから吸い込まれ、循環風路１３ｂを通りファン吹出口１０ｂから吹き出す。ヒータ１５ｂに通電すると、ヒータ１５ｂが加熱することでファン吹出口１０ｂを通る空気が温められ、温風がファン吹出口１０ｂから吹き出す。
【００３９】
空調装置１Ａは、洗面所空調機２Ａと浴室空調機３Ａが収容される本体ケース１６を備える。本体ケース１６は、内部が仕切り部材１７で仕切られ、仕切り部材１７を挟んで一方の空間に洗面所空調機２Ａを備え、他方の空間に浴室空調機３Ａを備える。
【００４０】
洗面所空調機２Ａと浴室空調機３Ａは、仕切り部材１７を挟んで対称な形態で、洗面所空調機２Ａにおいて、ファンケース６ａにより形成される循環風路１３ａ及び排気風路１４ａと、浴室空調機３Ａにおいて、ファンケース６ｂにより形成される循環風路１３ａ及び排気風路１４ｂは、仕切り部材１７で仕切られて独立しており、空気が混合することがない構成である。
【００４１】
洗面所空調機２Ａのファンケース６ａに形成されたファン吸込口９ａと、浴室空調機３Ａのファンケース６ｂに形成されたファン吸込口９ｂは、それぞれが水平方向に外側を向いている。
【００４２】
そして、洗面所空調機２Ａのファン吸込口９ａと連通した吸込開口部１８ａと、浴室空調機３Ａのファン吸込口９ｂと連通した吸込開口部１８ｂが、本体ケース１６の下面に独立して形成される。
【００４３】
また、洗面所空調機２Ａのファン吹出口１０ａと、浴室空調機３Ａのファン吹出口１０ｂは、本体ケース１６の下面に独立して形成され、洗面所空調機２Ａのファン排気口１１ａと、浴室空調機３Ａのファン排気口１１ｂは、本体ケース１６の側面に独立して形成される。
【００４４】
空調装置１Ａは、本体ケース１６の下面に、洗面所空調機２Ａに対応してフロントパネル１９ａが取り付けられ、浴室空調機３Ａに対応してフロントパネル１９ｂが取り付けられる。
【００４５】
洗面所空調機２Ａのフロントパネル１９ａと浴室空調機３Ａのフロントパネル１９ｂは、互いが独立した部品として構成され、洗面所空調機２Ａのフロントパネル１９ａは、吸込開口部１８ａと連通した吸込口２０ａと、ファン吹出口１０ａと連通した吹出口２１ａを備える。また、浴室空調機３Ａのフロントパネル１９ｂは、吸込開口部１８ｂと連通した吸込口２０ｂと、ファン吹出口１０ｂと連通した吹出口２１ｂを備える。
【００４６】
空調装置１Ａは、洗面所空調機２Ａのファン排気口１１ａと浴室空調機３Ａのファン排気口１１ｂを繋ぐ排気チャンバー２２を備える。排気チャンバー２２は連結配管の一例で、ファン排気口１１ａとファン排気口１１ｂが形成された本体ケース１６の側面に取り付けられ、ファン排気口１１ａから吹き出す空気の流路とファン排気口１１ｂから吹き出す空気の流路を１本に繋ぐ。
【００４７】
排気チャンバー２２には排気ダクト２３が取り付けられる。排気ダクト２３は排気配管の一例で、排気チャンバー２２を介して空調装置１Ａと屋外とを繋ぐ。
【００４８】
＜第１の実施の形態の空調装置の制御機能例＞
図４は第１の実施の形態の空調装置１Ａの制御系の一例を示す機能ブロック図である。空調装置１Ａは、制御部３１と操作部３２を備え、操作部３２で入浴者等のユーザの操作を受け、制御部３１が洗面所空調機２Ａと浴室空調機３Ａを制御する。
【００４９】
制御部３１は制御手段の一例で、洗面所空調機２Ａのファンモータ５ａと、ダンパモータ８ａと、ヒータ１５ａ等が接続される。また、浴室空調機３Ａのファンモータ５ｂと、ダンパモータ８ｂと、ヒータ１５ｂ等が接続される。
【００５０】
制御部３１は、図示しないＣＰＵやメモリ等を備え、操作部３２での操作と、予め記憶されているプログラムに従って、洗面所空調機２Ａと浴室空調機３Ａを連動させて制御する。ここで、制御部３１を構成する基板は、例えば、浴室の湿気の影響を受けにくい洗面所空調機２Ａ側の本体ケース１６内に設置される。また、基板を本体ケース１６の外側に収容できる構成としても良い。
【００５１】
図５は操作部３２の一例を示す構成図である。図５（ａ）に示す操作部３２ａは操作手段の一例で、洗面所空調機２Ａと浴室空調機３Ａで連動して暖房運転を行う暖房運転モードを選択する暖房モードボタン３３と、洗面所空調機２Ａと浴室空調機３Ａで連動して換気運転を行う換気運転モードを選択する換気モードボタン３４を備える。
【００５２】
また、操作部３２ａは、各種時間の設定を行うタイマ設定ボタン３５と、設定内容の表示等を行う表示部３６等を備える。
【００５３】
＜第１の実施の形態の空調装置の設置例＞
図６〜図８は第１の実施の形態の空調装置の設置例を示す構成図で、図６は洗面脱衣所５１及び浴室５２を並び方向正面側から見た構成図、図７は洗面脱衣所５１及び浴室５２を天井側から見た構成図、図８は洗面脱衣所５１を側方から見た構成図である。
【００５４】
空調装置１Ａの設置場所は、洗面脱衣所５１と浴室５２であり、空調装置１Ａは、洗面脱衣所５１と浴室５２に跨る形態で設置される。洗面脱衣所５１は第１の部屋の一例で、浴室５２は第２の部屋の一例であり、洗面脱衣所５１と浴室５２は間仕切り５３を挟んで隣接する。
【００５５】
空調装置１Ａは、洗面脱衣所５１と浴室５２の間仕切り５３上の天井面５４に、洗面脱衣所５１に対応して洗面所空調機２Ａが設置されると共に、浴室５２に対応して浴室空調機３Ａが設置される向きで取り付けられる。
【００５６】
空調装置１Ａは、本体ケース１６の下面に、洗面所空調機２Ａに対応してフロントパネル１９ａが取り付けられ、浴室空調機３Ａに対応してフロントパネル１９ｂが取り付けられることで、洗面脱衣所５１の天井面５４にフロントパネル１９ａが設置され、浴室５２の天井面５４にフロントパネル１９ｂが設置される。
【００５７】
また、空調装置１Ａは、排気チャンバー２２に接続された排気ダクト２３が図示しない建物の外壁まで延び、屋外への排気が行われる。
【００５８】
更に、空調装置１Ａは、図５等で説明した操作部３２ａが、洗面脱衣所５１と浴室５２の間の間仕切り５３の洗面脱衣所５１側の壁面５３ａに取り付けられる。なお、操作部３２ａと空調装置１Ａの制御部３１は、例えば電気ケーブル等の有線で接続される。
【００５９】
＜第１の実施の形態の空調装置の動作例＞
次に、各図を参照して第１の実施の形態の空調装置１Ａの動作について説明する。まず、暖房運転について説明すると、入浴者等は、入浴前に洗面脱衣所５１と浴室５２を暖房するため、洗面脱衣所５１に設置されている操作部３２ａの暖房モードボタン３３を押す。
【００６０】
操作部３２ａの暖房モードボタン３３が押されると、制御部３１は、洗面所空調機２Ａと浴室空調機３Ａを連動させた暖房運転モードが選択されたと判断して、洗面所空調機２Ａのファンモータ５ａとダンパモータ８ａとヒータ１５ａを駆動すると共に、浴室空調機３Ａのファンモータ５ｂとダンパモータ８ｂとヒータ１５ｂを駆動する。
【００６１】
すなわち、主制御部３１は、洗面所空調機２Ａのダンパモータ８ａを駆動して、ダンパ７ａの位置を図１（ａ）に実線で示す循環位置とする。これにより、洗面所空調機２Ａでは、ファンケース６ａのファン吸込口９ａからファン吹出口１０ａまでの風路を介して、フロントパネル１９ａの吸込口２０ａから吹出口２１ａまで連通した循環風路１３ａが形成される。
【００６２】
また、主制御部３１は、浴室空調機３Ａのダンパモータ８ｂを駆動して、ダンパ７ｂの位置を図１（ｂ）に実線で示す循環位置とする。これにより、浴室空調機３Ａでは、ファンケース６ｂのファン吸込口９ｂからファン吹出口１０ｂまでの風路を介して、フロントパネル１９ｂの吸込口２０ｂから吹出口２１ｂまで連通した循環風路１３ｂが形成される。
【００６３】
更に、主制御部３１は、洗面所空調機２Ａのファンモータ５ａを回転駆動してファン４ａを回転させると共に、ヒータ１５ａに通電してヒータ１５ａを加熱させる。また、主制御部３１は、浴室空調機３Ａのファンモータ５ｂを回転駆動してファン４ｂを回転させると共に、ヒータ１５ｂに通電してヒータ１５ｂを加熱させる。
【００６４】
これにより、空調装置１Ａは、洗面所空調機２Ａにおいては、洗面脱衣所５１の天井に設置されたフロントパネル１９ａの吸込口２０ａから、本体ケース１６の吸込開口部１８ａを介してファンケース６ａのファン吸込口９ａへと洗面脱衣所５１の空気が吸い込まれる。
【００６５】
ダンパ７ａの位置が循環位置であると、ファンケース６ａにおいてファン吸込口９ａからファン吹出口１０ａへの循環風路１３ａが形成されるので、ファン吸込口９ａから吸い込まれた空気は、循環風路１３ａを通りファン吹出口１０ａからフロントパネル１９ａの吹出口２１ａを介して洗面脱衣所５１内に吹き出される。
【００６６】
そして、ヒータ１５ａは、ファンケース６ａのファン吹出口１０ａに配置されるので、ヒータ１５ａに通電されてヒータ１５ａが加熱されると、循環風路１３ａを通る空気が温められて、フロントパネル１９ａの吹出口２１ａから吹き出す。これにより、空調装置１Ａは、洗面所空調機２Ａにより洗面脱衣所５１の空気を循環させながら、洗面脱衣所５１内を暖房することができる。
【００６７】
また、空調装置１Ａは、浴室空調機３Ａでも同様に、浴室５２の天井に設置されたフロントパネル１９ｂの吸込口２０ｂから、本体ケース１６の吸込開口部１８ｂを介してファンケース６ｂのファン吸込口９ｂへと浴室５２の空気が吸い込まれる。
【００６８】
ダンパ７ｂの位置が循環位置であると、ファンケース６ｂにおいてファン吸込口９ｂからファン吹出口１０ｂへの循環風路１３ｂが形成されるので、ファン吸込口９ｂから吸い込まれた空気は、循環風路１３ｂを通りファン吹出口１０ｂからフロントパネル１９ｂの吹出口２１ｂを介して浴室５２内に吹き出される。
【００６９】
そして、ヒータ１５ｂは、ファンケース６ｂのファン吹出口１０ｂに配置されるので、ヒータ１５ｂに通電されてヒータ１５ｂが加熱されると、循環風路１３ｂを通る空気が温められて、フロントパネル１９ｂの吹出口２１ｂから吹き出す。これにより、空調装置１Ａは、浴室空調機３Ａにより浴室５２の空気を循環させながら、浴室５２内を暖房することができる。
【００７０】
入浴者等は、暖房運転を停止させる際には、操作部３２ａの暖房モードボタン３３を再度押す。操作部３２ａの暖房モードボタン３３が再度押されると、制御部３１は、暖房運転モードの停止が選択されたと判断して、洗面所空調機２Ａと浴室空調機３Ａを異なるタイミングで停止させる。
【００７１】
すなわち、制御部３１は、まず、浴室空調機３Ａのヒータ１５ｂとファンモータ５ｂの駆動を停止する。これにより、浴室空調機３Ａからの温風の吹き出しが停止する。
【００７２】
次に、制御部３１は、予め設定されている所定の暖房運転時間が経過すると、洗面所空調機２Ａのヒータ１５ａとファンモータ５ａの駆動を停止する。これにより、洗面所空調機２Ａからの温風の吹き出しが、浴室空調機３Ａより遅延して停止する。
【００７３】
ここで、洗面所空調機２Ａの暖房運転を遅延させて停止させるための暖房運転時間は、入浴者の入浴時間等を考慮して設定される。すなわち、空調装置１Ａでは、洗面所空調機２Ａと浴室空調機３Ａを連動させて、入浴前に洗面脱衣所５１と浴室５２をそれぞれ暖房する。
【００７４】
これに対して、入浴中は、温風であっても入浴者に風が当たると寒く感じることがあるので、入浴前の暖房運転を行った後、入浴者の操作等により、入浴中は空調装置１Ａの運転を停止する。
【００７５】
但し、入浴中に洗面所空調機２Ａと浴室空調機３Ａの双方の暖房運転を停止させると、入浴中に洗面脱衣所５２の温度が低下する可能性がある。このため、洗面所空調機２Ａの暖房運転を遅延させて停止させることで、入浴中の洗面脱衣所５１の温度低下を抑制する。
【００７６】
空調装置１Ａでは、洗面所空調機２Ａと浴室空調機３Ａでヒータ１５ａとヒータ１５ｂが独立しており、ヒータ１５ａとヒータ１５ｂの駆動と駆動停止を個別に制御することができる。また、ファン４ａ，４ｂの駆動源が独立しており、ファン４ａとファン４ｂの駆動と駆動停止を個別に制御することができる。
【００７７】
従って、浴室空調機３Ａに対して、洗面所空調機２Ａの暖房運転を遅延して停止させることが可能である。
【００７８】
次に、換気運転について説明すると、入浴者等は、洗面脱衣所５１と浴室５２を換気するため、操作部３２ａの換気モードボタン３４を押す。
【００７９】
操作部３２ａの換気モードボタン３４が押されると、制御部３１は、洗面所空調機２Ａと浴室空調機３Ａを連動させた換気運転モードが選択されたと判断して、洗面所空調機２Ａのファンモータ５ａとダンパモータ８ａを駆動すると共に、浴室空調機３Ａのファンモータ５ｂとダンパモータ８ｂを駆動する。
【００８０】
すなわち、主制御部３１は、洗面所空調機２Ａのダンパモータ８ａを駆動して、ダンパ７ａの位置を図１（ａ）に一点鎖線で示す換気位置とする。これにより、洗面所空調機２Ａでは、ファンケース６ａのファン吸込口９ａからファン排気口１１ａまでの風路を介して、フロントパネル１９ａの吸込口２０ａからファン排気口１１ａまで連通した排気風路１４ａが形成される。
【００８１】
また、主制御部３１は、浴室空調機３Ａのダンパモータ８ｂを駆動して、ダンパ７ｂの位置を図１（ｂ）に一点鎖線で示す換気位置とする。これにより、浴室空調機３Ａでは、ファンケース６ｂのファン吸込口９ｂからファン排気口１１ｂまでの風路を介して、フロントパネル１９ｂの吸込口２０ｂからファン排気口１１ｂまで連通した排気風路１４ｂが形成される。
【００８２】
更に、主制御部３１は、洗面所空調機２Ａのファンモータ５ａを回転駆動してファン４ａを回転させると共に、浴室空調機３Ａのファンモータ５ｂを回転駆動してファン４ｂを回転させる。換気運転モードでは、ヒータ１５ａ，１５ｂは共に非駆動である。
【００８３】
これにより、空調装置１Ａは、洗面所空調機２Ａにおいては、洗面脱衣所５１の天井に設置されたフロントパネル１９ａの吸込口２０ａから、本体ケース１６の吸込開口部１８ａを介してファンケース６ａのファン吸込口９ａへと洗面脱衣所５１の空気が吸い込まれる。
【００８４】
ダンパ７ａの位置が換気位置であると、ファンケース６ａにおいてファン吸込口９ａからファン排気口１１ａへの排気風路１４ａが形成されるので、ファン吸込口９ａから吸い込まれた空気は、排気風路１４ａを通りファン排気口１１ａから排気チャンバー２２及び排気ダクト２３を介して屋外へ排気される。
【００８５】
これにより、空調装置１Ａは、洗面所空調機２Ａにより洗面脱衣所５１の空気を屋外に排気して、洗面脱衣所５１を換気することができる。
【００８６】
また、空調装置１Ａは、浴室空調機３Ａでも同様に、浴室５２の天井に設置されたフロントパネル１９ｂの吸込口２０ｂから、本体ケース１６の吸込開口部１８ｂを介してファンケース６ｂのファン吸込口９ｂへと浴室５２の空気が吸い込まれる。
【００８７】
ダンパ７ｂの位置が換気位置であると、ファンケース６ｂにおいてファン吸込口９ｂからファン排気口１１ｂへの排気風路１４ｂが形成されるので、ファン吸込口９ｂから吸い込まれた空気は、排気風路１４ｂを通りファン排気口１１ｂから排気チャンバー２２及び排気ダクト２３を介して屋外へ排気される。
【００８８】
これにより、空調装置１Ａは、浴室空調機３Ａにより浴室５２の空気を屋外に排気して、浴室５２を換気することができる。
【００８９】
なお、洗面所空調機２Ａ及び浴室空調機３Ａで換気運転を行う際には、洗面脱衣所５１と図示しない廊下等の間に設けられるドアのガラリやアンダーカット、及び、洗面脱衣所５１と浴室５２を仕切る間仕切り５３に設けられるドア５５のガラリ５５ａを通して、部屋の空気等が給気される。
【００９０】
入浴者等は、換気運転を停止させる際には、操作部３２ａの換気モードボタン３４を再度押す。操作部３２ａの換気モードボタン３４が再度押されると、制御部３１は、換気運転モードの停止が選択されたと判断して、洗面所空調機２Ａと浴室空調機３Ａを同時に停止させる。
【００９１】
すなわち、制御部３１は、洗面所空調機２Ａのファンモータ５ａと浴室空調機３Ａのファンモータ５ｂの駆動を同時に停止する。これにより、洗面所空調機２Ａと浴室空調機３Ａによる換気運転が停止する。
【００９２】
なお、洗面所空調機２Ａと浴室空調機３Ａのダンパ７ａ，７ｂを図１（ａ），（ｂ）の破線で示すような中間位置として、室内空気の排気（換気）と室内への送風を同時に行う涼風運転モード、及び室内空気の排気（換気）とヒータ１５ａ，１５ｂに通電することによる室内へ温風の送風を同時に行う衣類等の乾燥運転モードを設けても良い。また、これらモードを選択できるように、操作部３２ａに選択ボタンを設けるようにしても良い。
【００９３】
以上説明したように、第１の実施の形態の空調装置１Ａでは、単一の操作部３２ａを操作することで、洗面所空調機２Ａによる洗面脱衣所５１の暖房または換気と、浴室空調機３Ａによる浴室５２の暖房または換気を連動させて行うことができる。これにより、２部屋の暖房や換気を簡単な操作で行うことができる。
【００９４】
また、洗面所空調機２Ａと浴室空調機３Ａを単一の本体ケース２６に収容して一体化してあるので、１台の装置の設置作業と同等の設置作業で、２台の装置を設置可能となる。
【００９５】
なお、本発明での浴室とは、浴槽を有せず、シャワーのみのシャワー室も含むものである。
【００９６】
ここで、図５（ｂ）は操作部３２の変形例を示す。図５（ｂ）に示す操作部３２ｂは、洗面脱衣所５１と浴室５２の暖房と換気を選択的に連動運転と個別運転を行えるようにしたものである。
【００９７】
すなわち、操作部３２ｂは、洗面所空調機２Ａと浴室空調機３Ａで連動して暖房運転を行う暖房運転モードを選択する同時暖房モードボタン３３ａと、洗面所空調機２Ａ単体で暖房運転を行う洗面所暖房モードボタン３３ｂと、浴室空調機３Ａ単体で暖房運転を行う浴室暖房モードボタン３３ｃを備える。
【００９８】
また、操作部３２ｂは、洗面所空調機２Ａと浴室空調機３Ａで連動して換気運転を行う換気運転モードを選択する同時換気モードボタン３４ａと、洗面所空調機２Ａ単体で換気運転を行う洗面所換気モードボタン３４ｂと、浴室空調機３Ａ単体で換気運転を行う浴室換気モードボタン３４ｃを備える。
【００９９】
これにより、操作部３２ｂの同時暖房モードボタン３３ａを選択することで、上述したように、洗面所空調機２Ａと浴室空調機３Ａの両方を連動させた暖房運転が行える。これに対して、操作部３２ｂの洗面所暖房モードボタン３３ｂを選択することで、浴室空調機３Ａは停止させ、洗面所空調機２Ａ単体での暖房運転が行える。また、操作部３２ｂの浴室暖房モードボタン３３ｃを選択することで、洗面所空調機２Ａは停止させ、浴室空調機３Ａ単体での暖房運転が行える。
【０１００】
同様に、操作部３２ｂの同時換気モードボタン３４ａを選択することで、上述したように、洗面所空調機２Ａと浴室空調機３Ａの両方を連動させた換気運転が行える。これに対して、操作部３２ｂの洗面所換気モードボタン３４ｂを選択することで、浴室空調機３Ａは停止させ、洗面所空調機２Ａ単体での換気運転が行える。また、操作部３２ｂの浴室換気モードボタン３４ｃを選択することで、洗面所空調機２Ａは停止させ、浴室空調機３Ａ単体での換気運転が行える。
【０１０１】
＜第２の実施の形態の空調装置の構成例＞
図９，図１０は第２の実施の形態の空調装置の一例を示す構成図で、図９は空調装置１Ｂの平面断面図、図１０は空調装置１Ｂの正面断面図である。ここで、第２の実施の形態の空調装置１Ｂにおいて、洗面所空調機及び浴室空調機の側面図については、図１と同等であるので、図示を省略する。なお、以下の説明では、第１の実施の形態の空調装置１Ａと同じ構成については同じ番号を付して説明する。
【０１０２】
第２の実施の形態の空調装置１Ｂは、洗面所空調機２Ｂと浴室空調機３Ｂを一体に構成し、洗面所空調機２Ｂと浴室空調機３Ｂで各部の駆動手段を共用したものである。
【０１０３】
洗面所空調機２Ｂは第１の空調機の一例で、ファン４ａと、風路を形成するファンケース６ａと、風路を切り替えるダンパ７ａと、ヒータ１５ａを備える。また、浴室空調機３Ｂは第２の空調機の一例で、ファン４ｂと、風路を形成するファンケース６ｂと、風路を切り替えるダンパ７ｂと、ヒータ１５ｂを備える。
【０１０４】
空調装置１Ｂは、洗面所空調機２Ｂのファン４ａと、浴室空調機３Ｂのファン４ｂを駆動するファンモータ２４と、洗面所空調機２Ｂのダンパ７ａと、浴室空調機３Ｂのダンパ７ｂを駆動するダンパモータ２５を備える。
【０１０５】
ファンモータ２４はファン駆動手段の一例で、モータケースの両端から軸が突出した両軸のモータである。洗面所空調機２Ｂのファン４ａと浴室空調機３Ｂのファン４ｂは、回転軸を水平方向として同軸上に配置され、ファンモータ２４の一方の軸にファン４ａが取り付けられ、他方の軸にファン４ｂが取り付けられる。
【０１０６】
ダンパモータ２５は風路切替駆動手段の一例で、例えば、ギアＧ等を介して洗面所空調機２Ｂのダンパ７ａと浴室空調機３Ｂのダンパ７ｂに駆動力を伝達する。洗面所空調機２Ｂのダンパ７ａと浴室空調機３Ｂのダンパ７ｂは、それぞれ軸１２ａ，１２ｂを支点に連動して回転して、風路の切り替え動作を行う。
【０１０７】
空調装置１Ｂでは、洗面所空調機２Ｂにおいて、ダンパ７ａがダンパモータ２５で駆動され、図１（ａ）に実線で示す循環位置にあると、浴室空調機３Ｂにおいても、ダンパ７ｂがダンパモータ２５に駆動されることで、図１（ｂ）に実線で示す循環位置となる。これにより、洗面所空調機２Ｂと浴室空調機３Ｂの双方でそれぞれ循環風路１３ａ，１３ｂが形成される。
【０１０８】
これに対して、洗面所空調機２Ｂにおいて、ダンパ７ａがダンパモータ２５で駆動され、図１（ａ）に一点鎖線で示す換気位置にあると、浴室空調機３Ｂにおいても、ダンパ７ｂがダンパモータ２５に駆動されることで、図１（ｂ）に一点鎖線で示す換気位置となる。これにより、洗面所空調機２Ｂと浴室空調機３Ｂの双方でそれぞれ排気風路１４ａ，１４ｂが形成される。
【０１０９】
空調装置１Ｂは、洗面所空調機２Ｂと浴室空調機３Ｂが本体ケース１６に収容される。洗面所空調機２Ｂと浴室空調機３Ｂは、仕切り部材１７を挟んで対称な形態で、ファンモータ２４は、軸が水平方向となる向きで仕切り部材１７を貫通して取り付けられる。
【０１１０】
空調装置１Ｂは、本体ケース１６の下面に、洗面所空調機２Ｂに対応してフロントパネル１９ａが取り付けられ、浴室空調機３Ｂに対応してフロントパネル１９ｂが取り付けられる。洗面所空調機２Ａのフロントパネル１９ａと浴室空調機３Ａのフロントパネル１９ｂは、互いが独立した部品として構成される。
【０１１１】
また、空調装置１Ｂは、洗面所空調機２Ｂのファン排気口１１ａと浴室空調機３Ｂのファン排気口１１ｂを繋ぐ排気チャンバー２２が取り付けられ、排気チャンバー２２には、空調装置１Ｂと屋外とを繋ぐ排気ダクト２３が接続される。
【０１１２】
＜第２の実施の形態の空調装置の制御機能例＞
図１１は第２の実施の形態の空調装置１Ｂの制御系の一例を示す機能ブロック図である。空調装置１Ｂは、制御部３７と操作部３２ａを備え、操作部３２ａで入浴者等のユーザの操作を受け、制御部３７が洗面所空調機２Ｂと浴室空調機３Ｂを制御する。
【０１１３】
制御部３７は制御手段の一例で、洗面所空調機２Ｂのファン４ａと浴室空調機３Ｂのファン４ｂを駆動するファンモータ２４と、洗面所空調機２Ｂのダンパ７ａと浴室空調機３Ｂのダンパ７ｂを駆動するダンパモータ２５と、洗面所空調機２Ｂと浴室空調機３Ｂのそれぞれのヒータ１５ａ，１５ｂ等が接続される。
【０１１４】
制御部３７は、図示しないＣＰＵやメモリ等を備え、操作部３２ａでの操作と、予め記憶されているプログラムに従って、洗面所空調機２Ｂと浴室空調機３Ｂを連動させて制御する。ここで、操作部３２ａは、本例では図５（ａ）で説明したものと同じとする。
【０１１５】
＜第２の実施の形態の空調装置の設置例＞
図１２，図１３は第２の実施の形態の空調装置の設置例を示す構成図で、図１２は洗面脱衣所５１及び浴室５２を並び方向正面側から見た構成図、図１３は洗面脱衣所５１及び浴室５２を天井側から見た構成図である。ここで、洗面脱衣所５１を側方から見た図は図８を同等であるので、図示を省略する。
【０１１６】
第２の実施の形態の空調装置１Ｂの設置形態は、第１の実施の形態の空調装置１Ｂと同じであり、空調装置１Ｂは、洗面脱衣所５１と浴室５２の間仕切り５３上の天井面５４に、洗面脱衣所５１に対応して洗面所空調機２Ｂが設置されると共に、浴室５２に対応して浴室空調機３Ｂが設置される向きで取り付けられる。
【０１１７】
そして、空調装置１Ｂは、洗面脱衣所５１の天井面５４にフロントパネル１９ａが設置され、浴室５２の天井面５４にフロントパネル１９ｂが設置される。
【０１１８】
＜第２の実施の形態の空調装置の動作例＞
次に、各図を参照して第２の実施の形態の空調装置１Ｂの動作について説明する。まず、暖房運転について説明すると、入浴者等は、入浴前に洗面脱衣所５１と浴室５２を暖房するため、洗面脱衣所５１に設置されている操作部３２ａの暖房モードボタン３３を押す。
【０１１９】
操作部３２ａの暖房モードボタン３３が押されると、制御部３７は、洗面所空調機２Ｂと浴室空調機３Ｂを連動させた暖房運転モードが選択されたと判断して、洗面所空調機２Ｂと浴室空調機３Ｂで共用しているファンモータ２４及びダンパモータ２５と、洗面所空調機２Ｂと浴室空調機３Ｂのそれぞれのヒータ１５ａ及びヒータ１５ｂを駆動する。
【０１２０】
すなわち、主制御部３７は、ダンパモータ２５を駆動して、洗面所空調機２Ｂのダンパ７ａの位置を図１（ａ）に実線で示す循環位置とすると共に、浴室空調機３Ｂのダンパ７ｂの位置を図１（ｂ）に実線で示す循環位置とする。
【０１２１】
これにより、洗面所空調機２Ｂでは、ファンケース６ａのファン吸込口９ａからファン吹出口１０ａまでの風路を介して、フロントパネル１９ａの吸込口２０ａから吹出口２１ａまで連通した循環風路１３ａが形成される。
【０１２２】
また、浴室空調機３Ｂでは、ファンケース６ｂのファン吸込口９ｂからファン吹出口１０ｂまでの風路を介して、フロントパネル１９ｂの吸込口２０ｂから吹出口２１ｂまで連通した循環風路１３ｂが形成される。
【０１２３】
更に、主制御部３７は、ファンモータ２４を回転駆動して洗面所空調機２Ｂのファン４ａを回転させると共に、浴室空調機３Ｂのファン４ｂを回転させる、また、洗面所空調機２Ｂのヒータ１５ａに通電してヒータ１５ａを加熱させると共に、浴室空調機３Ｂのヒータ１５ｂに通電してヒータ１５ｂを加熱させる。
【０１２４】
これにより、空調装置１Ｂは、洗面所空調機２Ｂにおいては、洗面脱衣所５１の天井に設置されたフロントパネル１９ａの吸込口２０ａから、ファンケース６ａのファン吸込口９ａへと洗面脱衣所５１の空気が吸い込まれる。
【０１２５】
ダンパ７ａの位置が循環位置であるので、ファン吸込口９ａから吸い込まれた空気は、循環風路１３ａを通りファン吹出口１０ａからフロントパネル１９ａの吹出口２１ａを介して洗面脱衣所５１内に吹き出される。
【０１２６】
そして、ヒータ１５ａに通電されてヒータ１５ａが加熱されると、循環風路１３ａを通る空気が温められて、フロントパネル１９ａの吹出口２１ａから吹き出す。これにより、空調装置１Ｂは、洗面所空調機２Ｂにより洗面脱衣所５１の空気を循環させながら、洗面脱衣所５１内を暖房することができる。
【０１２７】
また、空調装置１Ｂは、浴室空調機３Ｂでも同様に、浴室５２の天井に設置されたフロントパネル１９ｂの吸込口２０ｂから、ファンケース６ｂのファン吸込口９ｂへと浴室５２の空気が吸い込まれる。
【０１２８】
ダンパ７ｂの位置が循環位置であるので、ファン吸込口９ｂから吸い込まれた空気は、循環風路１３ｂを通りファン吹出口１０ｂからフロントパネル１９ｂの吹出口２１ｂを介して浴室５２内に吹き出される。
【０１２９】
そして、ヒータ１５ｂに通電されてヒータ１５ｂが加熱されると、循環風路１３ｂを通る空気が温められて、フロントパネル１９ｂの吹出口２１ｂから吹き出す。これにより、空調装置１Ｂは、浴室空調機３Ｂにより浴室５２の空気を循環させながら、浴室５２内を暖房することができる。
【０１３０】
入浴者等は、暖房運転を停止させる際には、操作部３２ａの暖房モードボタン３３を再度押す。操作部３２ａの暖房モードボタン３３が再度押されると、制御部３７は、暖房運転モードの停止が選択されたと判断して、洗面所空調機２Ａと浴室空調機３Ａを同時に停止させる。
【０１３１】
すなわち、空調装置１Ｂでは、洗面所空調機２Ｂのファン４ａと浴室空調機３Ｂのファン４ｂが共通のファンモータ２４で駆動されているので、個別に送風を停止することができない。
【０１３２】
このため、制御部３７は、洗面所空調機２Ｂのヒータ１５ａと浴室空調機３Ｂのヒータ１５ｂの駆動を停止すると共に、ファンモータ２４の駆動を停止する。これにより、洗面所空調機２Ｂと浴室空調機３Ｂからの温風の吹き出しが停止する。
【０１３３】
次に、換気運転について説明すると、入浴者等は、洗面脱衣所５１と浴室５２を換気するため、操作部３２ａの換気モードボタン３４を押す。
【０１３４】
操作部３２ａの換気モードボタン３４が押されると、制御部３７は、洗面所空調機２Ｂと浴室空調機３Ｂを連動させた換気運転モードが選択されたと判断して、ファンモータ２４とダンパモータ２５を駆動する。
【０１３５】
すなわち、主制御部３７は、ダンパモータ２５を駆動して、洗面所空調機２Ｂのダンパ７ａの位置を図１（ａ）に一点鎖線で示す換気位置とすると共に、浴室空調機３Ｂのダンパ７ｂの位置を図１（ｂ）に一点鎖線で示す換気位置とする。
【０１３６】
これにより、洗面所空調機２Ｂでは、ファンケース６ａのファン吸込口９ａからファン排気口１１ａまでの風路を介して、フロントパネル１９ａの吸込口２０ａからファン排気口１１ａまで連通した排気風路１４ａが形成される。
【０１３７】
また、浴室空調機３Ｂでは、ファンケース６ｂのファン吸込口９ｂからファン排気口１１ｂまでの風路を介して、フロントパネル１９ｂの吸込口２０ｂからファン排気口１１ｂまで連通した排気風路１４ｂが形成される。
【０１３８】
更に、主制御部３７は、ファンモータ２４を回転駆動して洗面所空調機２Ｂのファン４ａを回転させると共に、浴室空調機３Ｂのファン４ｂを回転させる。換気運転モードでは、ヒータ１５ａ，１５ｂは共に非駆動である。
【０１３９】
これにより、空調装置１Ｂは、洗面所空調機２Ｂにおいては、洗面脱衣所５１の天井に設置されたフロントパネル１９ａの吸込口２０ａから、ファンケース６ａのファン吸込口９ａへと洗面脱衣所５１の空気が吸い込まれる。
【０１４０】
ダンパ７ａの位置が換気位置であるので、ファン吸込口９ａから吸い込まれた空気は、排気風路１４ａを通りファン排気口１１ａから排気チャンバー２２及び排気ダクト２３を介して屋外へ排気される。
【０１４１】
これにより、空調装置１Ｂは、洗面所空調機２Ｂにより洗面脱衣所５１の空気を屋外に排気して、洗面脱衣所５１を換気することができる。
【０１４２】
また、空調装置１Ｂは、浴室空調機３Ｂでも同様に、浴室５２の天井に設置されたフロントパネル１９ｂの吸込口２０ｂから、ファンケース６ｂのファン吸込口９ｂへと浴室５２の空気が吸い込まれる。
【０１４３】
ダンパ７ｂの位置が換気位置であるので、ファン吸込口９ｂから吸い込まれた空気は、排気風路１４ｂを通りファン排気口１１ｂから排気チャンバー２２及び排気ダクト２３を介して屋外へ排気される。
【０１４４】
これにより、空調装置１Ｂは、浴室空調機３Ｂにより浴室５２の空気を屋外に排気して、浴室５２を換気することができる。
【０１４５】
入浴者等は、換気運転を停止させる際には、操作部３２ａの換気モードボタン３４を再度押す。操作部３２ａの換気モードボタン３４が再度押されると、制御部３７は、換気運転モードの停止が選択されたと判断して、洗面所空調機２Ｂと浴室空調機３Ｂを同時に停止させる。
【０１４６】
すなわち、制御部３７は、ファンモータ２４の駆動を停止することで、洗面所空調機２Ａと浴室空調機３Ａによる換気運転が停止する。
【０１４７】
以上説明したように、第２の実施の形態の空調装置１Ｂでは、第１の実施の形態の空調装置１Ａで得られる効果に加え、ファンモータとダンパモータを洗面所空調機２Ｂと浴室空調機３Ｂで共用としたので、構成を簡単にして、装置の小型化を図ることができると共に、低コスト化を図ることができる。
【０１４８】
なお、第２の実施の形態の空調装置１Ｂでも、ダンパ７ａ，７ｂを図１に示すような中間位置として、涼風運転や乾燥運転を行えるようにしても良い。
【０１４９】
＜第３の実施の形態の空調装置の構成例＞
図１４〜図１６は第３の実施の形態の空調装置の一例を示す構成図で、図１６は空調装置１Ｃを構成する洗面所空調機２Ｃ及び浴室空調機３Ｃの側断面図、図１５は洗面所空調機２Ｃ及び浴室空調機３Ｃの平面断面図、図１８は洗面所空調機２Ｃ及び浴室空調機３Ｃの正面断面図である。
【０１５０】
第３の実施の形態の空調装置１Ｃは、洗面所空調機２Ｃと浴室空調機３Ｃを独立した構成としたものである。なお、以下の説明では、第１の実施の形態の空調装置１Ａと同じ構成については同じ番号を付して説明する。ここで、本例では、洗面所空調機２Ｃと浴室空調機３Ｃは同じ構成を有しているので、図１４〜図１６において、浴室空調機３Ｃの構成を説明する符号については括弧内に示す。
【０１５１】
洗面所空調機２Ｃは第１の空調機の一例で、第１の実施の形態の洗面所空調機２Ａと同等の構成を有する。洗面所空調機２Ｃは、ファン４ａと、ファン４ａを駆動するファンモータ５ａと、風路を形成するファンケース６ａと、風路を切り替えるダンパ７ａと、ダンパ７ａを駆動するダンパモータ８ａと、ヒータ１５ａを備え、本体ケース２６ａに収容される。
【０１５２】
洗面所空調機２Ｃは、ファンケース６ａに形成されたファン吸込口９ａと連通した吸込開口部２７ａが、本体ケース２６ａの下面に形成される。また、ファンケース６ａのファン吹出口１０ａが本体ケース２６ａの下面に形成され、ファンケース６ａのファン排気口１１ａが本体ケース２６ａの側面に形成される。
【０１５３】
浴室空調機３Ｃは第２の空調機の一例で、第１の実施の形態の浴室空調機３Ａと同等の構成を有する。浴室空調機３Ｃは、ファン４ｂと、ファン４ｂを駆動するファンモータ５ｂと、風路を形成するファンケース６ｂと、風路を切り替えるダンパ７ｂと、ダンパ７ｂを駆動するダンパモータ８ｂと、ヒータ１５ｂを備え、洗面所空調機２Ｃとは独立した本体ケース２６ｂに収容される。
【０１５４】
浴室空調機３Ｃは、ファンケース６ｂに形成されたファン吸込口９ｂと連通した吸込開口部２７ｂが、本体ケース２６ｂの下面に形成される。また、ファンケース６ｂのファン吹出口１０ｂが本体ケース２６ｂの下面に形成され、ファンケース６ｂのファン排気口１１ｂが本体ケース２６ｂの側面に形成される。
【０１５５】
洗面所空調機２Ｃは、本体ケース２６ａの下面に吸込口２０ａと吹出口２１ａを備えたフロントパネル１９ａが取り付けられ、浴室空調機３Ｃは、本体ケース２６ｂの下面に吸込口２０ｂと吹出口２１ｂを備えたフロントパネル１９ｂが取り付けられる。
【０１５６】
空調装置１Ｃは、洗面所空調機２Ｃのファン排気口１１ａと浴室空調機３Ｃのファン排気口１１ｂを繋ぐ排気チャンバー２８を備える。排気チャンバー２８は連結配管の一例で、洗面所空調機２Ｃのファン排気口１１ａから吹き出す空気の流路と浴室空調機３Ｃのファン排気口１１ｂから吹き出す空気の流路を１本に繋ぐ。また、排気チャンバー２８には、空調装置１Ｃと屋外とを繋ぐ排気ダクト２３が接続される。
【０１５７】
＜第３の実施の形態の空調装置の制御機能例＞
図１７は第３の実施の形態の空調装置１Ｃの制御系の一例を示す機能ブロック図である。空調装置１Ｃは、制御部３８と操作部３９を備え、操作部３９で入浴者等のユーザの操作を受け、制御部３８が洗面所空調機２Ｃと浴室空調機３Ｃを制御する。
【０１５８】
制御部３８は制御手段の一例で、洗面所空調機２Ｃのファンモータ５ａと、ダンパモータ８ａと、ヒータ１５ａ等が接続される。また、浴室空調機３Ｃのファンモータ５ｂと、ダンパモータ８ｂと、ヒータ１５ｂ等が接続される。
【０１５９】
制御部３８は、図示しないＣＰＵやメモリ等を備え、操作部３９での操作と、予め記憶されているプログラムに従って、洗面所空調機２Ｃと浴室空調機３Ｃを連動させて制御する。
【０１６０】
図１８は操作部３９の一例を示す構成図である。操作部３９は、洗面所空調機２Ｃと浴室空調機３Ｃで連動して暖房運転を行う暖房運転モードを選択する暖房モードボタン３３と、洗面所空調機２Ｃ単独で換気運転を行う洗面所換気運転モードを選択する洗面所換気モードボタン３４ａと、浴室空調機３Ｃ単独で換気運転を行う浴室換気運転モードを選択する浴室換気モードボタン３４ｂとを備える。
【０１６１】
更に、操作部３９は、各種時間の設定を行うタイマ設定ボタン３５と、設定内容の表示等を行う表示部３６等を備える。
【０１６２】
＜第３の実施の形態の空調装置の設置例＞
図１９，図２０は第３の実施の形態の空調装置の設置例を示す構成図で、図１９は洗面脱衣所５１及び浴室５２を並び方向正面側から見た構成図、図２０は洗面脱衣所５１及び浴室５２を天井側から見た構成図である。ここで、洗面脱衣所５１を側方から見た図は図８を同等であるので、図示を省略する。
【０１６３】
空調装置１Ｃの設置場所は、洗面脱衣所５１と浴室５２であり、洗面脱衣所５１の天井面５４に洗面所空調機２Ｃが設置されると共に、浴室５２の天井面５４に浴室空調機３Ｃが設置される。洗面所空調機２Ｃと浴室空調機３Ｃは独立しているので、設置位置は、排気チャンバー２８の形状に応じて任意に選択可能である。
【０１６４】
＜第３の実施の形態の空調装置の動作例＞
次に、各図を参照して第３の実施の形態の空調装置１Ｃの動作について説明する。まず、暖房運転について説明すると、入浴者等は、入浴前に洗面脱衣所５１と浴室５２を暖房するため、洗面脱衣所５１に設置されている操作部３９の暖房モードボタン３３を押す。
【０１６５】
操作部３９の暖房モードボタン３３が押されると、制御部３８は、洗面所空調機２Ｃと浴室空調機３Ｃを連動させた暖房運転モードが選択されたと判断して、洗面所空調機２Ｃのファンモータ５ａとダンパモータ８ａとヒータ１５ａを駆動すると共に、浴室空調機３Ｃのファンモータ５ｂとダンパモータ８ｂとヒータ１５ｂを駆動する。
【０１６６】
すなわち、主制御部３８は、洗面所空調機２Ｃのダンパモータ８ａを駆動して、ダンパ７ａの位置を図１４に実線で示す循環位置とする。これにより、洗面所空調機２Ｃでは、ファンケース６ａのファン吸込口９ａからファン吹出口１０ａまでの風路を介して、フロントパネル１９ａの吸込口２０ａから吹出口２１ａまで連通した循環風路１３ａが形成される。
【０１６７】
また、主制御部３８は、浴室空調機３Ｃのダンパモータ８ｂを駆動して、ダンパ７ｂの位置を図１４に実線で示す循環位置とする。これにより、浴室空調機３Ｃでは、ファンケース６ｂのファン吸込口９ｂからファン吹出口１０ｂまでの風路を介して、フロントパネル１９ｂの吸込口２０ｂから吹出口２１ｂまで連通した循環風路１３ｂが形成される。
【０１６８】
更に、主制御部３８は、洗面所空調機２Ｃのファンモータ５ａを回転駆動してファン４ａを回転させると共に、ヒータ１５ａに通電してヒータ１５ａを加熱させる。また、主制御部３８は、浴室空調機３Ｃのファンモータ５ｂを回転駆動してファン４ｂを回転させると共に、ヒータ１５ｂに通電してヒータ１５ｂを加熱させる。
【０１６９】
これにより、空調装置１Ｃは、洗面所空調機２Ｃにおいては、洗面脱衣所５１の天井に設置されたフロントパネル１９ａの吸込口２０ａから、ファンケース６ａのファン吸込口９ａへと洗面脱衣所５１の空気が吸い込まれる。
【０１７０】
ダンパ７ａの位置が循環位置であるので、ファン吸込口９ａから吸い込まれた空気は、循環風路１３ａを通りファン吹出口１０ａからフロントパネル１９ａの吹出口２１ａを介して洗面脱衣所５１内に吹き出される。
【０１７１】
そして、ヒータ１５ａに通電されてヒータ１５ａが加熱されると、循環風路１３ａを通る空気が温められて、フロントパネル１９ａの吹出口２１ａから吹き出す。これにより、空調装置１Ｃは、洗面所空調機２Ｃにより洗面脱衣所５１の空気を循環させながら、洗面脱衣所５１内を暖房することができる。
【０１７２】
また、空調装置１Ｃは、浴室空調機３Ｃでも同様に、浴室５２の天井に設置されたフロントパネル１９ｂの吸込口２０ｂから、ファンケース６ｂのファン吸込口９ｂへと浴室５２の空気が吸い込まれる。
【０１７３】
ダンパ７ｂの位置が循環位置であるので、ファン吸込口９ｂから吸い込まれた空気は、循環風路１３ｂを通りファン吹出口１０ｂからフロントパネル１９ｂの吹出口２１ｂを介して浴室５２内に吹き出される。
【０１７４】
そして、ヒータ１５ｂに通電されてヒータ１５ｂが加熱されると、循環風路１３ｂを通る空気が温められて、フロントパネル１９ｂの吹出口２１ｂから吹き出す。これにより、空調装置１Ｃは、浴室空調機３Ｃにより浴室５２の空気を循環させながら、浴室５２内を暖房することができる。
【０１７５】
入浴者等は、暖房運転を停止させる際には、操作部３９の暖房モードボタン３３を再度押す。操作部３９の暖房モードボタン３３が再度押されると、制御部３８は、暖房運転モードの停止が選択されたと判断して、洗面所空調機２Ｃと浴室空調機３Ｃを異なるタイミングで停止させる。
【０１７６】
すなわち、制御部３８は、まず、浴室空調機３Ｃのヒータ１５ｂとファンモータ５ｂの駆動を停止する。これにより、浴室空調機３Ｃからの温風の吹き出しが停止する。
【０１７７】
次に、制御部３８は、予め設定されている所定の暖房運転時間が経過すると、洗面所空調機２Ｃのヒータ１５ａとファンモータ５ａの駆動を停止する。これにより、洗面所空調機２Ｃからの温風の吹き出しが、浴室空調機３Ｃより遅延して停止する。このように、洗面所空調機２Ｃの暖房運転を遅延させて停止させることで、入浴中の洗面脱衣所５１の温度低下を抑制する。
【０１７８】
次に、洗面所空調機２Ｃ及び浴室空調機３Ｃ単体での換気運転について説明する。洗面脱衣所５１の換気を行う場合は、入浴者等は、操作部３９の洗面所換気モードボタン３４ａを押す。
【０１７９】
操作部３９の洗面所換気モードボタン３４ａが押されると、制御部３８は、洗面所空調機２Ｃ単体での換気運転モードが選択されたと判断して、洗面所空調機２Ｃのファンモータ５ａとダンパモータ８ａを駆動する。
【０１８０】
すなわち、主制御部３８は、洗面所空調機２Ｃのダンパモータ８ａを駆動して、ダンパ７ａの位置を図１４に一点鎖線で示す換気位置とする。これにより、洗面所空調機２Ｃでは、フロントパネル１９ａの吸込口２０ａからファン排気口１１ａまで連通した排気風路１４ａが形成される。
【０１８１】
また、主制御部３８は、洗面所空調機２Ｃのファンモータ５ａを回転駆動してファン４ａを回転させる。換気運転モードでは、ヒータ１５ａは非駆動である。
【０１８２】
これにより、空調装置１Ｃは、洗面所空調機２Ｃにおいては、洗面脱衣所５１の天井に設置されたフロントパネル１９ａの吸込口２０ａから、ファンケース６ａのファン吸込口９ａへと洗面脱衣所５１の空気が吸い込まれる。
【０１８３】
ダンパ７ａの位置が換気位置であるので、ファン吸込口９ａから吸い込まれた空気は、排気風路１４ａを通りファン排気口１１ａから排気チャンバー２２及び排気ダクト２３を介して屋外へ排気される。
【０１８４】
これにより、空調装置１Ｃは、洗面所空調機２Ｃにより洗面脱衣所５１の空気を屋外に排気して、洗面脱衣所５１を換気することができる。
【０１８５】
入浴者等は、洗面所空調機２Ｃ単体での換気運転を停止させる際には、操作部３９の洗面所換気モードボタン３４ａを再度押す。操作部３９の洗面所換気モードボタン３４ａが再度押されると、制御部３８は、洗面所空調機２Ｃ単体での換気運転モードの停止が選択されたと判断して、洗面所空調機２Ｃを停止させる。
【０１８６】
すなわち、制御部３８は、洗面所空調機２Ｃのファンモータ５ａの駆動を停止させることで、洗面所空調機２Ｃによる換気運転が停止する。
【０１８７】
浴室５２の換気を行う場合は、入浴者等は、操作部３９の浴室換気モードボタン３４ｂを押す。
【０１８８】
操作部３９の浴室換気モードボタン３４ｂが押されると、制御部３８は、浴室空調機３Ｃ単体での換気運転モードが選択されたと判断して、浴室空調機３Ｃのファンモータ５ｂとダンパモータ８ｂを駆動する。
【０１８９】
すなわち、主制御部３８は、浴室空調機３Ｃのダンパモータ８ｂを駆動して、ダンパ７ｂの位置を図１４に一点鎖線で示す換気位置とする。これにより、浴室空調機３Ｃでは、フロントパネル１９ｂの吸込口２０ｂからファン排気口１１ｂまで連通した排気風路１４ｂが形成される。
【０１９０】
また、主制御部３８は、浴室空調機３Ｃのファンモータ５ｂを回転駆動してファン４ｂを回転させる。換気運転モードでは、ヒータ１５ｂは非駆動である。
【０１９１】
これにより、空調装置１Ｃは、浴室空調機３Ｃにおいては、浴室５２の天井に設置されたフロントパネル１９ｂの吸込口２０ｂから、ファンケース６ｂのファン吸込口９ｂへと浴室５２の空気が吸い込まれる。
【０１９２】
ダンパ７ｂの位置が換気位置であるので、ファン吸込口９ｂから吸い込まれた空気は、排気風路１４ｂを通りファン排気口１１ｂから排気チャンバー２２及び排気ダクト２３を介して屋外へ排気される。
【０１９３】
これにより、空調装置１Ｃは、浴室空調機３Ｃにより浴室５２の空気を屋外に排気して、浴室５２を換気することができる。
【０１９４】
入浴者等は、浴室空調機３Ｃ単体での換気運転を停止させる際には、操作部３９の浴室換気モードボタン３４ｂを再度押す。操作部３９の浴室換気モードボタン３４ｂが再度押されると、制御部３８は、浴室空調機３Ｃ単体での換気運転モードの停止が選択されたと判断して、浴室空調機３Ｃを停止させる。
【０１９５】
すなわち、制御部３８は、浴室空調機３Ｃのファンモータ５ｂの駆動を停止させることで、浴室空調機３Ｃによる換気運転が停止する。
【０１９６】
以上説明したように、第３の実施の形態の空調装置１Ｃでは、洗面所空調機２Ｃと浴室空調機３Ｃを独立させることで、同じ構成の装置を２台用いて、連動運転が可能な空調装置１Ｃを構成することができ、低コスト化を図ることができる。
【０１９７】
なお、第３の実施の形態の空調装置１Ｃでも、ダンパ７ａ，７ｂを図１に示すような中間位置として、涼風運転や乾燥運転を行えるようにしても良い。
【０１９８】
＜各実施の形態の空調装置の変形例＞
上述した各実施の形態の空調装置１Ａ〜１Ｃでは、浴室空調機２Ａ〜２Ｃにおいて、入浴前に浴室５２の予備暖房を行う構成である。これに対して、カーボンランプ等の輻射暖房装置を備えて、浴室空調機２Ａ〜２Ｃによる入浴前（予備）暖房を停止した後は、輻射暖房装置による入浴中暖房運転を実行しても良い。
【０１９９】
また、各実施の形態の空調装置１Ａ〜１Ｃは、洗面脱衣所５１及び浴室５２の天井面５４に設置したが、壁面に設置しても良い。
【０２００】
第１の実施の形態の空調装置１Ａでは、洗面所空調機２Ａと浴室空調機３Ａでファンモータとダンパモータがそれぞれ独立した構成であるので、第３の実施の形態の空調装置１Ｃのように、洗面所空調機２Ａと浴室空調機３Ａの単体での換気運転も行えるようにしても良い。
【０２０１】
これに対して、第１の実施の形態の空調装置１Ａにおいて、第２の実施の形態の空調装置１Ｂのように、ダンパモータを共用させても良い。
【産業上の利用可能性】
【０２０２】
本発明は、浴室と洗面脱衣所のように、間仕切りされた２部屋で暖房と換気を連動させて行えるようにした空調装置に適用される。
【図面の簡単な説明】
【０２０３】
【図１】第１の実施の形態の空調装置の一例を示す構成図である。
【図２】第１の実施の形態の空調装置の一例を示す構成図である。
【図３】第１の実施の形態の空調装置の一例を示す構成図である。
【図４】第１の実施の形態の空調装置の制御系の一例を示す機能ブロック図である。
【図５】操作部の一例を示す構成図である。
【図６】第１の実施の形態の空調装置の設置例を示す構成図である。
【図７】第１の実施の形態の空調装置の設置例を示す構成図である。
【図８】第１の実施の形態の空調装置の設置例を示す構成図である。
【図９】第２の実施の形態の空調装置の一例を示す構成図である。
【図１０】第２の実施の形態の空調装置の一例を示す構成図である。
【図１１】第２の実施の形態の空調装置の制御系の一例を示す機能ブロック図である。
【図１２】第２の実施の形態の空調装置の設置例を示す構成図である。
【図１３】第２の実施の形態の空調装置の設置例を示す構成図である。
【図１４】第３の実施の形態の空調装置の一例を示す構成図である。
【図１５】第３の実施の形態の空調装置の一例を示す構成図である。
【図１６】第３の実施の形態の空調装置の一例を示す構成図である。
【図１７】第３の実施の形態の空調装置の制御系の一例を示す機能ブロック図である。
【図１８】操作部の一例を示す構成図である。
【図１９】第３の実施の形態の空調装置の設置例を示す構成図である。
【図２０】第３の実施の形態の空調装置の設置例を示す構成図である。
【符号の説明】
【０２０４】
１Ａ，１Ｂ，１Ｃ・・・空調装置、２Ａ，２Ｂ，２Ｃ・・・洗面所空調機、３Ａ，３Ｂ，３Ｃ・・・浴室空調機、４ａ，４ｂ・・・ファン、５ａ，５ｂ・・・ファンモータ、６ａ，６ｂ・・・ファンケース、７ａ，７ｂ・・・ダンパ、８ａ，８ｂ・・・ダンパモータ、９ａ，９ｂ・・・ファン吸込口、１０ａ，１０ｂ・・・ファン吹出口、１１ａ，１１ｂ・・・ファン排気口、１２ａ，１２ｂ・・・軸、１３ａ，１３ｂ・・・循環風路、１４ａ，１４ｂ・・・排気風路、１５ａ，１５ｂ・・・ヒータ、１６・・・本体ケース、１７・・・仕切り部材、１８ａ・・・吸込開口部、１８ｂ・・・吸込開口部、１９ａ，１９ｂ・・・フロントパネル、２０ａ，２０ｂ・・・吸込口、２１ａ，２１ｂ・・・吹出口、２２・・・排気チャンバー、２３・・・排気ダクト、３１・・・制御部、３２・・・操作部、３３・・・暖房モードボタン、３４・・・換気モードボタン、３５・・・タイマ設定ボタン、３６・・・表示部、５１・・・洗面脱衣所、５２・・・浴室、５３・・・間仕切り、５４・・・天井面
【図１】
2007032874.tif 000003
【図２】
2007032874.tif 000004
【図３】
2007032874.tif 000005
【図４】
2007032874.tif 000006
【図５】
2007032874.tif 000007
【図６】
2007032874.tif 000008
【図７】
2007032874.tif 000009
【図８】
2007032874.tif 000010
【図９】
2007032874.tif 000011
【図１０】
2007032874.tif 000012
【図１１】
2007032874.tif 000013
【図１２】
2007032874.tif 000014
【図１３】
2007032874.tif 000015
【図１４】
2007032874.tif 000016
【図１５】
2007032874.tif 000017
【図１６】
2007032874.tif 000018
【図１７】
2007032874.tif 000019
【図１８】
2007032874.tif 000020
【図１９】
2007032874.tif 000021
【図２０】
2007032874.tif 000022